【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
履物類用の靴底板であって、
地面接触のために適合される下面であって、前記下面は、
複数の第１の牽引要素を備える第１の靴底部分であって、前記第１の牽引要素は、遠位端と、中心コアから延在する３つのテーパ状延在部を備える側壁とを備える、第１の靴底部分と、
前記履物類の着用者の足の第１の中足領域に近接して実質的に三角形のパターンで配列される３つの第２の牽引要素を備える第２の靴底部分であって、前記第２の牽引要素は、少なくとも１つの側面において、前記第１の牽引要素の対応する幾何学的特徴と異なる、少なくとも１つの幾何学的特徴を有し、前記第２の靴底部分は、前記靴底板の内側縁から、前記下面の前足領域に近接して前記靴底板の中心領域まで延在し、前記第２の靴底部分は、複数の第３の牽引要素をさらに備え、前記第３の牽引要素は、前記第２の牽引要素よりも小さく、前記第２の牽引要素を実質的に包囲し、前記第３の牽引要素は、実質的に前記第２の靴底部分のみに配置されている、第２の靴底部分と
を備える、下面
を備える、靴底板。
【請求項２】
前記第１の靴底部分の第１の領域中の少なくとも１つの第１の牽引要素の配向は、前記第１の靴底部分の第２の領域中の少なくとも１つの第１の牽引要素の配向と異なる、請求項１に記載の靴底板。
【請求項３】
前記第２の牽引要素は、遠位端と、実質的に六角形の断面を備える側壁とを備える、請求項１に記載の靴底板。
【請求項４】
前記第２の牽引要素は、遠位端と、実質的に円形の断面、実質的に卵形の断面、および実質的に多角形の断面のうちの少なくとも１つを備える側壁とを備え、前記多角形の断面は、三角形、正方形、長方形、五角形、および六角形の多角形のうちの少なくとも１つを備える、請求項１に記載の靴底板。
【請求項５】
前記実質的に三角形のパターンで配列される前記３つの第２の牽引要素は、実質的に同一の高さを有する、請求項１に記載の靴底板。
【請求項６】
前記第２の靴底部分はさらに、前記履物類の前記着用者の前記足の内側前足領域の中に位置付けられる第４の第２の牽引要素を備える、請求項１に記載の靴底板。
【請求項７】
前記第２の靴底部分は、前記靴底板の幅の約５０％〜約８０％の最大値にわたって前記内側縁から前記中心領域まで延在する、請求項１に記載の靴底板。
【請求項８】
前記第２の靴底部分は、
前記靴底板の内側縁に近接する第１の縁と、
前記靴底板の前記内側縁から前記靴底板の中心領域まで延在する第２の縁と、
前記靴底板の前記内側縁から前記靴底板の前記中心領域まで延在する第３の縁と
を備え、前記第２の縁および前記第３の縁は、前記靴底板の前記中心領域中で合流して交わる、請求項１に記載の靴底板。
【請求項９】
前記第１の靴底部分および第２の靴底部分は、１つまたは複数の撓曲溝によって分離される、請求項１に記載の靴底板。
【請求項１０】
前記第１の靴底部分は、第１の材料を備え、前記第２の靴底部分は、前記第１の材料と異なる第２の材料を備える、請求項１に記載の靴底板。
【請求項１１】
前記第１の材料は、ナイロンを備え、前記第２の材料は、熱可塑性ポリウレタンを備える、請求項１０に記載の靴底板。
【請求項１２】
前記第１の靴底部分は、前記第２の靴底部分に結合されることと、前記第２の靴底部分と共同成形されることとのうちの少なくとも１つである、請求項１に記載の靴底板。
【請求項１３】
前記第１の牽引要素および第２の牽引要素のうちの少なくとも１つは、金属を備える、請求項１に記載の靴底板。
【請求項１４】
少なくとも１つの第１の牽引要素および少なくとも１つの第２の牽引要素は、金属を備え、少なくとも１つの第１の牽引要素および少なくとも１つの第２の牽引要素は、熱可塑性ポリウレタンを備える、請求項１に記載の靴底板。
【請求項１５】
前記第１の牽引要素および前記第２の牽引要素はそれぞれ、熱可塑性ポリウレタンを備える、請求項１に記載の靴底板。
【請求項１６】
前記第３の牽引要素は、トレッドパターンを備える、請求項１に記載の靴底板。
【請求項１７】
前記第３の牽引要素は、複数の相互接続された伸長要素によって接続される、請求項１に記載の靴底板。
【請求項１８】
前記第１の靴底部分および前記第２の靴底部分のうちの少なくとも１つはさらに、構造支持要素を備え、前記構造支持要素は、複数の相互接続された伸長要素を備える、請求項１に記載の靴底板。
【請求項１９】
靴甲と、
靴底と
を備える履物類であって、前記靴底は、地面接触のために適合される下面を備える靴底板を備え、前記下面は、
複数の第１の牽引要素を備える第１の靴底部分であって、前記第１の牽引要素は、遠位端と、中心コアから延在する３つのテーパ状延在部を備える側壁とを備える、第１の靴底部分と、
前記履物類の着用者の足の第１の中足領域に近接して実質的に三角形のパターンで配列される３つの第２の牽引要素を備える第２の靴底部分であって、前記第２の牽引要素は、少なくとも１つの側面において、前記第１の牽引要素の対応する幾何学的特徴と異なる、少なくとも１つの幾何学的特徴を有し、前記第２の靴底部分は、前記靴底板の内側縁から、前記下面の前足領域に近接して前記靴底板の中心領域まで延在し、前記第２の靴底部分は、複数の第３の牽引要素をさらに備え、前記第３の牽引要素は、前記第２の牽引要素よりも小さく、前記第２の牽引要素を実質的に包囲し、前記第３の牽引要素は、実質的に前記第２の靴底部分のみに配置されている、第２の靴底部分と
を備える、履物類。
【請求項２０】
前記靴甲は、第１の表面テクスチャを有する第１の靴甲部分と、第２の表面テクスチャを有する第２の靴甲部分とを備える、請求項１９に記載の履物類。
【請求項２１】
前記第１の表面テクスチャは、複数の実質的に均等に分布したくぼみを備える、請求項２０に記載の履物類。
【請求項２２】
前記第２の表面テクスチャは、複数の実質的に平行な隆起を備える、請求項２０に記載の履物類。
【請求項２３】
前記平行な隆起は、前記履物類の縦軸に対して約３０°〜約６０°の角度で配向される、請求項２２に記載の履物類。
【請求項２４】
前記平行な隆起は、前記履物類の縦軸に対して約４５°の角度で配向される、請求項２３に記載の履物類。
【請求項２５】
前記第２の表面テクスチャは、少なくとも前記靴甲の内側前足部分を覆って延在する、請求項２０に記載の履物類。
【請求項２６】
前記第１の靴甲部分および前記第２の靴甲部分のうちの少なくとも１つは、多層材料を備え、前記多層材料は、
前記履物類の内部に近接する第１の材料層と、
前記履物類の外部に近接する第２の材料層と、
前記第１の材料層と前記第２の材料層との間に位置する第３の材料層であって、発泡材料を備える第３の材料層と
を備える、請求項２０に記載の履物類。
【請求項２７】
前記第３の材料層は、それを通って延在する複数の実質的に均等に分布した孔を有する、材料の層を備える、請求項２６に記載の履物類。
【請求項２８】
前記履物類の中足領域に近接する前記靴甲の少なくとも一部はさらに、その外面上に少なくとも１つの支持構造を備え、前記支持構造は、材料の第４の層を備える、請求項２６に記載の履物類。
【請求項２９】
前記多層材料は、前記履物類の内側中足領域、前足領域、および外側中足領域のうちの少なくとも一部を覆って延在する、請求項２６に記載の履物類。
【請求項３０】
靴甲と、
靴底と
を備える履物類であって、前記靴底は、地面接触のために適合される下面を備える靴底板を備え、前記下面は、
複数の第１の牽引要素を備える第１の靴底部分であって、前記第１の牽引要素は、遠位端と、中心コアから延在する３つのテーパ状延在部を備える側壁とを備える、第１の靴底部分と、
前記靴底板の内側縁から、前記下面の前足領域に近接して前記靴底板の中心領域まで延在する第２の靴底部分であって、前記第２の靴底部分は、
複数の第２の牽引要素であって、各第２の牽引要素は、遠位端と、実質的に円形または六角形の断面を有する側壁とを備え、
前記履物類の着用者の足の第１の中足領域に近接して実質的に三角形のパターンで配列される３つの第２の牽引要素と、
前記履物類の前記着用者の前記足の内側前足領域の中に位置付けられる第４の第２の牽引要素と
を備える複数の第２の牽引要素と、
複数の第３の牽引要素であって、前記第３の牽引要素は、前記第２の牽引要素よりも小さく、前記第２の牽引要素を実質的に包囲し、前記第３の牽引要素は、実質的に前記第２の靴底部分のみに配置されている、複数の第３の牽引要素と
を備え、前記第１の靴底部分は、第１の材料を備え、前記第２の靴底部分は、前記第１の材料と異なる第２の材料を備える、第２の靴底部分と
を備える、履物類。
【請求項３１】
靴甲と、
靴底と
を備える履物類であって、前記靴底は、地面接触のために適合される下面を備える靴底板を備え、前記下面は、
複数の第１の牽引要素を備える第１の靴底部分であって、前記第１の牽引要素は、遠位端と、中心コアから延在する３つのテーパ状延在部を備える側壁とを備え、前記第１の靴底部分の第１の領域中の少なくとも１つの第１の牽引要素の配向は、前記第１の靴底部分の第２の領域中の少なくとも１つの第１の牽引要素の配向と異なる、第１の靴底部分と、
前記靴底板の内側縁から、前記下面の前足領域に近接して延在し、複数の第２の牽引要素と複数の第３の牽引要素とを備える第２の靴底部分であって、各第２の牽引要素は、遠位端と、中心コアから延在する複数の延在部を備える側壁とを備え、前記第３の牽引要素は、前記第２の牽引要素よりも小さく、前記第２の牽引要素を実質的に包囲し、前記第３の牽引要素は、実質的に前記第２の靴底部分のみに配置されており、前記第１の靴底部分は、第１の材料を備え、前記第２の靴底部分は、前記第１の材料と異なる第２の材料を備える、第２の靴底部分と
を備える、履物類。
【手続補正２】
【補正対象書類名】明細書
【補正対象項目名】００１６
【補正方法】変更
【補正の内容】
【００１６】
これらおよび他の目的は、本明細書に開示される本発明の利点および特徴とともに、以下の説明、付随の図面、および請求項の参照を通して、より明白となるであろう。さらに、本明細書に説明される種々の実施形態の特徴は、相互排他的ではなく、種々の組み合わせおよび順列で存在し得ることを理解されたい。
本発明は、例えば、以下を提供する。
（項目１）
履物類用の靴底板であって、
地面接触のために適合される下面であって、
複数の第１の牽引要素を備える、第１の靴底部分であって、前記第１の牽引要素は、遠位端と、中心コアから延在する複数の延在部を備える側壁とを備える、第１の靴底部分と、
複数の第２の牽引要素を備える、第２の靴底部分であって、前記第２の牽引要素は、少なくとも１つの側面において、前記第１の牽引要素の対応する幾何学的特徴と異なる、少なくとも１つの幾何学的特徴を有する、第２の靴底部分と、
を備える、下面
を備える、靴底板。
（項目２）
前記第１の牽引要素は、前記中心コアから延在する、３つのテーパ状延在部を備える、項目１に記載の靴底板。
（項目３）
前記第１の靴底部分の第１の領域中の少なくとも１つの第１の牽引要素の配向は、前記第１の靴底部分の第２の領域中の少なくとも１つの第１の牽引要素の配向と異なる、項目１に記載の靴底板。
（項目４）
前記第２の牽引要素は、遠位端と、実質的に六角形の断面を備える側壁とを備える、項目１に記載の靴底板。
（項目５）
前記第２の牽引要素は、遠位端と、実質的に円形の断面、実質的に卵形の断面、および実質的に多角形の断面のうちの少なくとも１つを備える、側壁とを備え、前記多角形断面は、三角形、正方形、長方形、五角形、または六角形の多角形のうちの少なくとも１つを備える、項目１に記載の靴底板。
（項目６）
前記第２の靴底部分は、前記履物類の着用者の足の第１の中足領域に近接して実質的に三角形のパターンで配列される、３つの第２の牽引要素を備える、項目１に記載の靴底板。
（項目７）
前記実質的に三角形のパターンで配列される前記３つの第２の牽引要素は、実質的に同一の高さを有する、項目６に記載の靴底板。
（項目８）
前記第２の靴底部分はさらに、前記履物類の前記着用者の前記足の内側前足領域の中に位置付けられる第４の第２の牽引要素を備える、項目６に記載の靴底板。
（項目９）
前記第２の靴底部分は、前記靴底板の内側縁から前記靴底板の中心領域まで延在し、前記第１の靴底部分は、前記靴底板の外側縁から、前記靴底板の中足領域、前記靴底板の前足領域、および前記履物類の着用者の足の中足領域のうちの少なくとも１つに近接して前記靴底板の中心領域まで延在する、項目１に記載の靴底板。
（項目１０）
前記第２の靴底部分は、前記靴底板の幅の約５０％〜約８０％の最大値にわたって前記内側縁から前記中心領域まで延在する、項目９に記載の靴底板。
（項目１１）
前記第２の靴底部分は、
前記靴底板の縁に近接する第１の縁と、
前記靴底板の前記縁から前記靴底板の中心領域まで延在する、第２の縁と、
前記靴底板の前記縁から前記靴底板の前記中心領域まで延在する、第３の縁であって、
前記第２の縁および前記第３の縁は、前記靴底板の前記中心領域中で合流して交わる、第３の縁と、
を備える、項目１に記載の靴底板。
（項目１２）
前記第１の靴底部分および第２の靴底部分は、１つまたはそれを上回る撓曲溝によって分離される、項目１に記載の靴底板。
（項目１３）
前記第１の靴底部分は、第１の材料を備え、前記第２の靴底部分は、前記第１の材料と異なる第２の材料を備える、項目１に記載の靴底板。
（項目１４）
前記第１の材料は、ナイロンを備え、前記第２の材料は、熱可塑性ポリウレタンを備える、項目１３に記載の靴底板。
（項目１５）
前記第１の靴底部分は、前記第２の靴底部分に結合されることと、前記第２の靴底部分と共同成形されることとのうちの少なくとも１つである、項目１に記載の靴底板。
（項目１６）
前記第１の牽引要素および第２の牽引要素のうちの少なくとも１つは、金属を備える、項目１に記載の靴底板。
（項目１７）
少なくとも１つの第１の牽引要素および少なくとも１つの第２の牽引要素は、金属を備え、少なくとも１つの第１の牽引要素および少なくとも１つの第２の牽引要素は、熱可塑性ポリウレタンを備える、項目１に記載の靴底板。
（項目１８）
前記第１の牽引要素および前記第２の牽引要素はそれぞれ、熱可塑性ポリウレタンを備える、項目１に記載の靴底板。
（項目１９）
前記第１の靴底部分および前記第２の靴底部分のうちの少なくとも１つはさらに、トレッドパターンおよび複数の第３の牽引要素のうちの少なくとも１つを備える、項目１に記載の靴底板。
（項目２０）
前記第３の牽引要素は、複数の相互接続された伸長要素によって接続される、項目１９に記載の靴底板。
（項目２１）
前記第１の靴底部分および前記第２の靴底部分のうちの少なくとも１つはさらに、構造支持要素を備える、項目１に記載の靴底板。
（項目２２）
前記構造支持要素は、複数の相互接続された伸長要素を備える、項目２１に記載の靴底板。
（項目２３）
靴甲と、
靴底であって、前記靴底は、地面接触のために適合される下面を備える靴底板を備え、前記下面は、
複数の第１の牽引要素を備える、第１の靴底部分であって、前記第１の牽引要素は、遠位端と、中心コアから延在する複数の延在部を備える側壁とを備える、第１の靴底部分と、
複数の第２の牽引要素を備える、第２の靴底部分であって、前記第２の牽引要素は、少なくとも１つの側面において、前記第１の牽引要素の対応する幾何学的特徴と異なる、少なくとも１つの幾何学的特徴を有する、第２の靴底部分と、
を備える、靴底と、
を備える、履物類。
（項目２４）
前記靴甲は、第１の表面テクスチャを有する、第１の靴甲部分と、第２の表面テクスチャを有する、第２の靴甲部分とを備える、項目２３に記載の履物類。
（項目２５）
前記第１の表面テクスチャは、複数の実質的に均等に分布したくぼみを備える、項目２４に記載の履物類。
（項目２６）
前記第２の表面テクスチャは、複数の実質的に平行な隆起を備える、項目２４に記載の履物類。
（項目２７）
前記平行隆起は、前記履物類の縦軸に対して約３０°〜約６０°の角度で配向される、項目２６に記載の履物類。
（項目２８）
前記平行隆起は、前記履物類の縦軸に対して約４５°の角度で配向される、項目２７に記載の履物類。
（項目２９）
前記第２の表面テクスチャは、少なくとも前記靴甲の内側前足部分を覆って延在する、項目２４に記載の履物類。
（項目３０）
前記第１の靴甲部分および前記第２の靴甲部分のうちの少なくとも１つは、多層材料を備え、前記多層材料は、
前記履物類の内部に近接する第１の材料層と、
前記履物類の外部に近接する第２の材料層と、
前記第１の材料層と前記第２の材料層との間に位置する第３の材料層であって、発泡材料を備える、第３の材料層と、
を備える、項目２４に記載の履物類。
（項目３１）
前記第３の材料層は、それを通って延在する、複数の実質的に均等に分布した孔を有する、材料の層を備える、項目３０に記載の履物類。
（項目３２）
前記履物類の中足領域に近接する前記靴甲の少なくとも一部はさらに、その外面上に少なくとも１つの支持構造を備え、前記支持構造は、材料の第４の層を備える、項目３０に記載の履物類。
（項目３３）
前記多層材料は、前記履物類の内側中足領域、前足領域、および外側中足領域のうちの少なくとも一部を覆って延在する、項目３０に記載の履物類。
（項目３４）
靴甲と、
靴底であって、前記靴底は、地面接触のために適合される下面を備える靴底板を備え、前記下面は、
複数の第１の牽引要素を備える、第１の靴底部分であって、前記第１の牽引要素は、遠位端と、中心コアから延在する複数の延在部を備える側壁とを備える、第１の靴底部分と、
複数の第２の牽引要素を備える、第２の靴底部分であって、前記第２の牽引要素は、遠位端と、実質的に円形または六角形の断面を有する側壁とを備え、（ｉ）前記第２の靴底部分は、前記靴底板の中足領域および前足領域のうちの少なくとも１つに近接して、前記靴底板の前記下面の内側部分を覆って延在し、（ｉｉ）前記第２の靴底部分は、前記履物類の着用者の足の第１の中足領域および前記履物類の前記着用者の前記足の内側前足領域の中に位置付けられる第４の第２の牽引要素に近接して、実質的に三角形のパターンで配列される、３つの第２の牽引要素を備え、（ｉｉｉ）前記第１の靴底部分は、第１の材料を備え、前記第２の靴底部分は、前記第１の材料と異なる第２の材料を備える、第２の靴底部分と、
を備える、靴底と、
を備える、履物類。
（項目３５）
靴甲と、
靴底であって、前記靴底は、地面接触のために適合される下面を備える靴底板を備え、前記下面は、
複数の第１の牽引要素を備える、第１の靴底部分であって、前記第１の牽引要素は、遠位端と、中心コアから延在する複数の延在部を備える側壁とを備える、第１の靴底部分と、
複数の第２の牽引要素を備える、第２の靴底部分であって、前記第２の牽引要素は、遠位端と、中心コアから延在する複数の延在部を備える側壁とを備え、（ｉ）前記第２の靴底部分は、前記靴底板の中足領域および前足領域のうちの少なくとも１つに近接して、前記靴底板の前記下面の内側部分を覆って延在し、（ｉｉ）前記第１の靴底部分は、第１の材料を備え、前記第２の靴底部分は、前記第１の材料と異なる第２の材料を備え、（ｉｉｉ）前記第１の靴底部分の第１の領域中の少なくとも１つの第１の牽引要素の配向は、前記第１の靴底部分の第２の領域中の少なくとも１つの第１の牽引要素の配向と異なり、（ｉｖ）前記第２の靴底部分はさらに、複数の第３の牽引要素を備える、第２の靴底部分と、
を備える、靴底と、
を備える、履物類。